(57)【要約】【課題】３波長対応光ピックアップ装置用の積層１／２波長板を構成する手段を得る。【解決手段】複屈折を有する結晶を用いた第１及び第２の波長板を光学軸が交差するように貼り合わせ、全体として１／２波長板として機能する積層波長板であって、所定の波長λに対し、常光線及び異常光線に対する第１及び第２の波長板の位相差をΓ１、Γ２、高次モードの次数を自然数ｎとし、Γ１＝１８０°＋３６０°×ｎ、Γ２＝１８０°＋３６０°×ｎを満足するように高次モード積層１／２波長板を構成する。【選択図】図１
2010140039.tif 000002
【特許請求の範囲】
【請求項１】
波長λに対して位相差Γ１の第１の波長板と位相差Γ２の第２の波長板とを光軸が交差するよう貼り合わせて、全体として１／２波長板として機能する積層波長板であって、
前記第１の波長板の面内方位角をθ１とし、
前記第２の波長板の面内方位角をθ２とし、
前記積層波長板に入射する直線偏光の偏光方向と、前記積層波長板から出射する直線偏光の偏光方向とのなす角度をθとしたとき、
下式（１）〜（３）を満足するよう構成したことを特徴とする積層波長板。
Γ１＝１８０°＋３６０°×ｎ  ・・・（１）
Γ２＝１８０°＋３６０°×ｎ  ・・・（２）
θ２＝θ１＋θ／２            ・・・（３）
但し、ｎは１からはじまる自然数
【請求項２】
請求項１において、
ｎ＝４、
θ１＝２２．５°
θ２＝６７．５°
であることを特徴とする積層波長板。
【請求項３】
請求項１において、
ｎ＝５、
θ１＝２２．５°
θ２＝６７．５°
であることを特徴とする積層波長板。
【請求項４】
波長λに対して位相差Γ１１の第１の波長板と位相差Γ２２の第２の波長板とを光軸が交差するよう貼り合わせて、全体として１／２波長板として機能する積層波長板であって、
前記第１の波長板の面内方位角をθ３とし、
前記第２の波長板の面内方位角をθ４とし、
前記第２の波長板の波長λ１に対する位相差をΓ２１１、波長λ２（λ１＜λ２）に対する位相差をΓ２２２としたとき、
下式（４）〜（７）を満足するよう構成したことを特徴とする積層波長板。
Γ１１＝３６０°＋３６０°×２×ｎ      ・・・・（４）
Γ２２＝１８０°＋３６０°×ｎ          ・・・・（５）
ｃｏｓ２θ３＝１−（１−ｃｏｓΔΓ２）／２（１−ｃｏｓ２ΔΓ２）・・・・（６）
θ４＝４５°±１０°                    ・・・・（７）
但し、ｎは１からはじまる自然数、ΔΓ２＝（Γ２２２−Γ２１１）／２
【請求項５】
請求項４において、
ｎ＝４、
θ３＝−１６°若しくは−２１°
であることを特徴とする積層波長板。
【請求項６】
請求項４において、
ｎ＝５、
θ３＝−１６°若しくは−２１°
であることを特徴とする積層波長板。
【請求項７】
複数の透光性部材と、該複数の透光性部材の間に交互に配置された偏光分離部と反射膜とを備えた偏光分離素子と、
１／２波長板とから構成される偏光分離素子であって、
前記１／２波長板が請求項１乃至請求項６のいずれか一項に記載の積層波長板であることを特徴する偏光変換子。
【請求項８】
請求項１乃至請求項６のいずれか一項に記載の積層波長板を備えていることを特徴する偏光照明装置。
【請求項９】
請求項１乃至請求項６のいずれか一項に記載の積層波長板を備えていることを特徴とする光ピックアップ装置。
【発明の詳細な説明】
【技術分野】
【０００１】
本発明は、積層波長板に関し、特に変換効率を改善した高次モードの積層波長板と、これを用いた偏光変換子と、該偏光変換子を用いた偏光照明装置ｂと、高次モードの積層波長板を用いたピックアップ装置に関する。
【背景技術】
【０００２】
光学用の波長板は、従来から光ディスク装置、液晶ディスプレイ、液晶プロジェクタ等に用いられてきたが、使用される光の波長帯で波長板としての機能、例えば１／２波長板であれば、使用される波長帯に亘って位相が１８０°推移する等の機能を備えていることが必要である。水晶等の複屈折を用いて１／２波長板を１枚の水晶板で作る場合、水晶の常光線屈折率、異常光線屈折率を夫々ｎｏ、ｎｅとし、水晶板の厚さをｔとすると、波長λの光が１／２波長板を透過したときの、常光線と異常光線との位相差Γは、Γ＝２π／λ×（ｎｅ−ｎｏ）×ｔで与えられ、位相差Γは波長λに依存することになる。
【０００３】
所望の波長帯で位相差がほぼ一定となる広帯域波長板が、特許文献１に開示されている。図１２（ａ）に示す１／４波長板４０は、１／２波長板４１と、接着剤４２と、１／４波長板４３とから構成される。図１２（ｂ）に示すように、１／４波長板４０に入射する直線偏光の偏光方向に対して１／２波長板４１の延伸軸は−１５°、１／４波長板４３の延伸軸は−７５°の方向に配置されている。尚、前記延伸軸の角度はｙｚ平面内でｙ軸から右向きを正とした角度で記載されている。この１／２波長板４１や１／４波長板４３は、ポリカーボネイトを材料とした高分子フィルムを延伸処理したもので、１／４波長板４０は可視光の範囲（４００ｎｍ〜７００ｎｍ）において、波長に依存しないほぼ完全な１／４波長板として機能することが開示され、１／４波長板４０の作用を、ポアンカレ球を用いて説明している。
【０００４】
また、複数の水晶板を積層して１／２波長板としての機能を持たせた積層波長板が特許文献２に開示されている。図１３（ａ）は１／２波長板４４の構成を示す斜視図であって、水晶板４５と４６とを貼り合わせて構成されている。図１３（ｂ）は１／２波長板４４の分解斜視図であって、波長４２０ｎｍに対し位相差Γ１が１９０°、光学軸方位角θ１が１９°の水晶板４５と、同様に波長４２０ｎｍに対し位相差Γ２が２００°、光学軸方位角θ２が６４°の水晶板４６と、を夫々の光学軸４９、５０が４５°の角度で交差するように貼り合わせて、全体として波長４００ｎｍ〜７００ｎｍの高帯域で１／２波長板として機能するように構成したと開示されている。図１３（ａ）に示すように、１／２波長板４４にＰ偏光４７が入射すると、出射面では位相が１８０°ずれるので、入射光の偏光面は９０°回転し、Ｓ偏光に変換する機能を有していることが開示されている。
尚、光学軸方位角θ１とθ２の関係が、θ２＝θ１＋４５°、０°＜θ１＜４５°であることが開示されている。
【０００５】
１／２波長板４４の作用はポアンカレ球を用いて説明されるが、詳細な解析は水晶板４５、４６の夫々のミューラ行列Ａ１、Ａ２と、入射及び出射偏光状態を示す夫々のストークスベクトルＴ、Ｓとすると、ストークスベクトルＳは次式で表される。
Ｓ＝Ａ２・Ａ１・Ｔ・・・（１）
ストークスベクトルＳの成分から１／２波長板４４の位相差を求めることができる。
【先行技術文献】
【特許文献】
【０００６】
【特許文献１】特開平１０−６８８１６号公報
【特許文献２】特開２００４−１７０８５３号公報
【発明の概要】
【発明が解決しようとする課題】
【０００７】
しかしながら、特許文献１に記載の１／４波長板を応用して、１／２波長板を製作し、液晶プロジェクタ等に使用してみると、熱の影響による黄変が生じるという問題があった。また、特許文献２に記載の１／２波長板はシングルモードの波長板で構成されており、２枚の水晶板の夫々の位相差を概ね１８０°程度となるように加工する必要がある。実際に水晶板を製造する場合、研磨のし易さ、歩留まり等を勘案すると水晶板の厚さを１００μｍ以上に設定することが望ましい。しかるに水晶の常光、異常光の屈折率差から位相差１８０°程度の水晶板を製作すると、その厚さは数十μｍとなり、歩留まりが悪いのと、加工に時間を要するという問題があった。
【０００８】
この厚さの問題を解決する手段として、水晶板の光学軸が水晶板の主面における法線方向から斜め方向になるように水晶板を切断することで、上記屈折率差を小さくし、水晶板の厚さを厚くすることは可能である。そこで、特許文献２においては、使用する水晶板の厚みの加工性を考慮して、水晶板の切断角度は、水晶板の主面における法線方向に対して光学軸が２７°となる角度、所謂、カットアングルを２７°Ｚとすることが開示している。しかし、水晶板の切断角度を２７°Ｚとすると、入射角度に対する１／２波長板の位相差の変化が、大きくなるという問題が生ずる。液晶プロジェクタ又は光ピックアップの光学系で波長板を使用する場合、光源やレンズ系の配置の関係で波長板は、光が円錐状に収束（発散）する経路に配置されることがある。この場合、光線の中心付近は波長板に垂直に入射するが、円錐状の端では入射角が生じる。このため、入射角に対して位相差の変動が大きくなる１／２波長板を用いると光量のロスが生ずるという問題が生じる。
【０００９】
図１４は、切断角度が２７°Ｚ板を用い、波長４２０ｎｍに対し位相差Γ１が１９０°、光学軸方位角θ１が１９°の水晶板４５と、同様に波長４２０ｎｍに対し位相差Γ２が２００°、光学軸方位角θ２が６４°の水晶板４６と、を夫々の光学軸４９、５０が４５°の角度で交差するように貼り合わせて構成したシングルモードの１／２波長板の、入射角を−５°、０°、５°と変化させ、３５０ｎｍ〜７５０ｎｍの波長に対する変換効率を示した図である。
ここで、変換効率とはＰ偏光をＳ偏光に変換する割合を表し、変換効率が１のとき、Ｐ偏光が全てＳ偏光に変換されることを表している。この変換効率はできるだけ高いことが望ましいが、一般的には０．９３程度は必要であると言われている。図１４から明らかなように入射角５°では、波長が５２５ｎｍ以上で変換効率０．９を割り込むという問題があった。
本発明は、上記の黄変、加工上の歩留まり、入射角の問題等を解決する高次モード積層波長板を提供することにある。
【課題を解決するための手段】
【００１０】
本発明の積層波長板は、波長λに対して位相差Γ１の第１の波長板と位相差Γ２の第２の波長板とを光軸が交差するよう貼り合わせて、全体として１／２波長板として機能する積層波長板であって、前記第１の波長板の面内方位角をθ１とし、前記第２の波長板の面内方位角をθ２とし、前記積層波長板に入射する直線偏光の偏光方向と、前記積層波長板から出射する直線偏光の偏光方向とのなす角度をθとしたときに、下式（１）〜（３）を満足するよう構成したことを特徴とする積層波長板。
Γ１＝１８０°＋３６０°×ｎ、Γ２＝１８０°＋３６０°×ｎ、θ２＝θ１＋θ／２、但し、ｎは１からはじまる自然数、を満足するように構成した。
このような積層波長板によれば、ｎを適切に設定することにより、積層波長板を構成する２つの波長板の厚さを加工し易い厚さとすることができるという効果がある。
【００１１】
また本発明の積層波長板は、ｎ＝４、θ１＝２２．５°、θ２＝６７．５°とした。このように構成することにより、液晶プロジェクタで用いる青、緑、赤の波長帯４００ｎｍ帯、５００ｎｍ帯、６７５ｎｍ帯において積層波長板の波長−変換効率特がほぼ１にできるという効果がある。
【００１２】
また本発明の積層波長板は、ｎ＝５、θ１＝２２．５°、θ２＝６７．５°とした。このように構成することにより、３波長対応光ピックアップ用の波長板として要求される波長帯４０５ｎｍ帯、６６０ｎｍ帯、７８５ｎｍ帯において積層波長板の波長−変換効率特がほぼ１にできるという効果がある。
【００１３】
また本発明の積層波長板は、波長λに対して位相差Γ１１の第１の波長板と位相差Γ２２の第２の波長板とを光軸が交差するよう貼り合わせて、全体として１／２波長板として機能する積層波長板であって、前記第１の波長板の面内方位角をθ３とし、前記第２の波長板の面内方位角をθ４とし、前記第２の波長板の波長λ１に対する位相差をΓ２１１、波長λ２（λ１＜λ２）に対する位相差をΓ２２２としたとき、Γ１１＝３６０°＋３６０°×２×ｎ、Γ２２＝１８０°＋３６０°×ｎ、ｃｏｓ２θ３＝１−（１−ｃｏｓΔΓ２）／２（１−ｃｏｓ２ΔΓ２）、θ４＝４５°±１０°、但し、ｎは１からはじまる自然数、ΔΓ２＝（Γ２２２−Γ２１１）／２、を満足するよう構成した。このような積層波長板によれば、次数ｎ１、ｎ２を適切に設定することにより、積層波長板を構成する２つの波長板の厚さを加工し易い厚さとすることができるという効果がある。
【００１４】
また本発明の積層波長板は、ｎ＝４、θ３＝−１６°若しくは−２１°とした。このように構成することにより、液晶プロジェクタで用いる青、緑、赤の波長帯４００ｎｍ帯、５００ｎｍ帯、６７５ｎｍ帯において積層１／２波長板の波長−変換効率特が０．９４以上にできるという効果がある。
【００１５】
また本発明の積層波長板は、ｎ＝５、θ３＝−１６°若しくは−２１°とした。このように構成することにより、３波長対応光ピックアップ用の波長板として要求される波長帯４０５ｎｍ帯、６６０ｎｍ帯、７８５ｎｍ帯において積層波長板の波長−変換効率特がほぼ０．９４以上にできるという効果がある。
偏光ビームスプリッタアレイのＰ偏光出斜面に、上記の積層波長板を貼り付けて偏光変換子を構成することを特徴する。
このように、上記の積層波長板を用いて偏光変換子を構成することにより、偏光変換子から出射する直線偏光（Ｓ偏光）の強度を強めることができるという効果がある。
【００１６】
また本発明の偏光照明装置は、本発明の積層波長板を備えて構成される。このように本発明の積層波長板を用いて照明装置を構成することにより、照明装置から出射する直線偏光（Ｓ偏光）の強度を強めることができるという効果がある。
【００１７】
また本発明の光ピックアップ装置は、本発明の積層波長板を備えて構成される。このように本発明の積層波長板を用いて３波長対応光ピックアップ装置を構成すると、従来３つ必要であった１／２波長板を１つの積層波長板で実現することができる。
また、本発明の積層波長板と、３つの波長のレーザを出射するレーザダイオードとにより３波長対応の光ピックアップ装置を構成すると、光学部品を大幅に削減することが可能となり、光ピックアップ装置のコストを低減することができるという効果がある。
【図面の簡単な説明】
【００１８】
【図１】（ａ）は本発明に係る高次モードの積層１／２波長板の構成を示した概略斜視図、（ｂ）は分解斜視図。
【図２】（ａ）は本発明を説明するためのポアンカレ球の斜視図、（ｂ）はポアンカレ球のＳ１Ｓ２平面への透視図。
【図３】本発明に係る積層１／２波長板の波長−変換効率特性図。
【図４】本発明に係る他の積層１／２波長板の波長−変換効率特性図。
【図５】第２の実施例の積層１／２波長板の分解斜視図。
【図６】（ａ）は第２の実施例の積層１／２波長板の波長−変換効率特性図、（ｂ）は最適化後の波長−変換効率特性図。
【図７】（ａ）は第２の実施例の他の積層１／２波長板の波長−変換効率特性図、（ｂ）は最適化後の波長−変換効率特性図。
【図８】（ａ）は本発明を説明するためのポアンカレ球の斜視図、（ｂ）はポアンカレ球のＳ１Ｓ３平面への透視図、（ｃ）はポアンカレ球のＳ２Ｓ３平面への透視図。
【図９】本発明に係る偏光変換子の構成を示す概略図。
【図１０】本発明に係る偏光照明装置の構成を示す概略図。
【図１１】（ａ）は本発明に係る光ピックアップ装置のブロック構成図、（ｂ）は本発明に係る他の光ピックアップ装置のブロック構成図。
【図１２】（ａ）は従来の１／４波長板の構成を示す斜視図、（ｂ）は夫々の波長板の延伸軸方向を示す図。
【図１３】（ａ）は従来のシングルモードの積層１／２波長板の構成を示した概略斜視図、（ｂ）は分解斜視図。
【図１４】従来のシングルモードの積層１／２波長板の波長−変換効率特性図。
【発明を実施するための形態】
【００１９】
以下、本発明に係る実施の形態を図面に基づいて詳細に説明する。図１（ａ）は高次モード積層１／２波長板（以下、積層１／２波長板と称す）１の構成を示す斜視図であって、水晶を用いた第１の波長板２と、第２の波長板３とを夫々の光学軸が交差するように貼り合わせた構成を備え、全体として１／２波長板として機能するように構成する。図１（ｂ）は１／２波長板１の分解斜視図であって、第１の波長板２の光学軸方位角をθ１、第２の波長板３の光学軸方位角をθ２とする。所定の波長λ、例えば４００ｎｍに対する第１の波長板２の位相差をΓ１、第２の波長板３の位相差をΓ２とし、
Γ１＝１８０°＋３６０°×ｎ・・・（２）
Γ２＝１８０°＋３６０°×ｎ・・・（３）
を満足するように第１及び第２の波長板２、３の厚さを設定する。ここで、ｎは高次モードの次数で、１からはじまる自然数とする。
【００２０】
第１及び第２の波長板２、３に高次モードの波長板を用い、全体として１／２波長板１を構成する場合、波長３５０ｎｍから７５０ｎｍの全波長帯に亘って位相差を１８０°とすることは困難である。
そこで、所望する複数の波長帯で位相差を１８０°とするために、積層１／２波長板１の構成パラメータである第１及び第２の波長板２、３の夫々の高次モード次数ｎ１、ｎ２、所定の波長での夫々の位相差Γ１、Γ２、夫々の光学軸方位角θ１、θ２を、種々変化させて、積層１／２波長板１の出射光のストークスベクトルを算出し、これから位相差、変換効率等を求める手法をとった。
【００２１】
はじめに、本発明に係る積層１／２波長板の実施例を見つけ出した計算手法を簡単に説明する。直線偏光が２枚の波長板を透過した後の偏光状態は、ミューラ行列、又はジョンズ行列を用いて表すことができる。
【００２２】
Ｅ＝Ｒ2・Ｒ1・Ｉ                  （４）
【００２３】
ここで、Ｉは入射光の偏光状態、Ｅは出射光の偏光状態を表すベクトルである。Ｒ1は積層１／２波長板１における第１の波長板２のミューラ行列、Ｒ2は第２の波長板３のミューラ行列で、夫々次式で表される。
【００２４】
【数１】
2010140039.tif 000003
【００２５】
【数２】
2010140039.tif 000004
【００２６】
第１及び第２の波長板２、３の高次モード次数ｎを決め、夫々の位相差Γ１、Γ２、光学軸方位角度θ１、θ２を設定して、式（５）、（６）よりミューラ行列Ｒ1、Ｒ2を求める。そして、入射光の偏光状態Ｉを設定すると、式（４）より出射光の偏光状態Ｅを算出することができる。
行列としてミューラ行列を用いた場合について説明すると、出射光の偏光状態Ｅは次式で表される。
【００２７】
【数３】
2010140039.tif 000005
【００２８】
Ｅの行列要素Ｓ01、Ｓ11、Ｓ21、Ｓ31はストークスパラメータと呼ばれ、偏光状態を表している。このストークスパラメータを用いて、波長板の位相差Γは次式のように表される。
【００２９】
【数４】
2010140039.tif 000006
【００３０】
このように、式（８）を用いて位相差を算出することができる。
【００３１】
図１に示すように、本発明に係る積層１／２波長板１は、直線偏光の偏光面を所定の角度θだけ回転させる機能を有している。例えば、垂直方向の振動面を持つ直線偏光４を入力光として、積層１／２波長板１を透過させ、偏光面をθ＝９０°だけ回転（位相変調）させて水平方向の振動面を持つ直線偏光５として出射させる場合を、図２（ａ）に示すポアンカレ球用いて考える。この位相変調（９０°回転）はポアンカレ球で考えると、入射偏光状態Ｐ０からＰ２へ変調させることであり、このとき必要な位相差は１８０°である。しかし、Ｐ０からＰａへ、Ｐ０からＰｂへ変調させた場合も、位相差は同じく１８０°となる。即ち、位相差を用いて評価した場合、必要な偏光状態に変調されているかを判断することができない。ポアンカレ球上（赤道上）のＰ２と、異なるＰａ、Ｐｂの点は偏光面の方位である。これを検出するため、出射光の偏光状態を表す行列Ｅと、偏光子の行列Ｐとの積を計算し、得られた光量を評価値とすれば、偏光状態を正確に判定することができる。これを変換効率と定義する。
【００３２】
具体的には、偏光子の行列Ｐの透過軸を９０°に設定し、行列Ｐと出射光偏光状態を表す行列Ｅとの積から得られる行列Ｔのストークスパラメータより、９０°方向の偏光面成分の光量を算出することができる。出射光偏光状態を表す行列Ｅと、偏光子の行列Ｐとの積は次式のようになる。
【００３３】
Ｔ＝Ｐ・Ｅ                        （９）
【００３４】
ここで、行列Ｔは変換効率を表し、その要素のストークスパラメータで表すと次式のように表される。
【００３５】
【数５】
2010140039.tif 000007
【００３６】
ここで、ベクトルＴのストークスパラメータのＳ02が光量を表している。入射光量を１に設定すればＳ02が変換効率となる。位相差、変換効率とも積層１／２波長板を透過した後の偏光状態を表す行列Ｅから求めることができる。
【００３７】
上記の変換効率を評価基準とし、積層１／２波長板の諸パラメータである第１及び第２の波長板２、３の高次モード次数ｎ、所定の波長（例えば波長４００ｎｍ）での夫々の位相差Γ１、Γ２、夫々の光学軸方位角θ１、θ２を種々変化させ、計算機を用いてシミュレーションした。シミュレーションを繰り返し行い、所望の複数の波長帯において、変換効率が良い場合の上記パラメータを選び出した。高次モード次数ｎが大き過ぎると、変換効率が１に近い波長帯域幅が狭くなり、積層１／２波長板としても使いづらくなるので、製造し易さ等を含めて上記パラメータを選定した。その結果を以下に説明する。
【００３８】
図１に示す積層１／２波長板１の第１及び第２の波長板２、３の切断角度が夫々９０°Ｚ（水晶板の主面における法線方向と光学軸（ｚ軸）との交差角度が９０°）、高次モードの次数ｎが４で、波長λを４００ｎｍとしたとき、第１の波長板の位相差Γ１、光学軸方位角θ１が夫々１６２０°（＝１８０°＋３６０°×４）、２２．５°、第２の波長板の位相差Γ２、光学軸方位角θ２が夫々１６２０°（＝１８０°＋３６０°×４）、６７．５°に設定した場合に、積層１／２波長板１の変換効率をシミュレーションにより求めた結果、良好な波長−変換効率が得られた。図３は波長３５０ｎｍから７５０ｎｍに対する積層１／２波長板１の変換効率を示す図である。
【００３９】
積層１／２波長板１への入射角度を０°とした場合の変換効率を実線で示し、入射角度を夫々−５°、＋５°としたときの変換効率を、菱形、三角の印を付けて表示してあるが、ほぼ重なった曲線となっている。液晶プロジェクタで用いる青、緑、赤の波長は夫々４００ｎｍ帯、５００ｎｍ帯、６７５ｎｍ帯であるので、上記パラメータの積層１／２波長板１の変換効率はほぼ１となることが判明した。
【００４０】
また、積層１／２波長板１の第１及び第２の波長板２、３の切断角度が夫々９０°Ｚ（水晶板の主面における法線方向と光学軸（ｚ軸）との交差角度が９０°）、高次モードの次数ｎが５で、波長λを４００ｎｍとしたとき、第１の波長板の位相差Γ１、光学軸方位角θ１が夫々１９８０°（＝１８０°＋３６０°×５）、２２．５°、第２の波長板の位相差Γ２、光学軸方位角θ２が夫々１９８０°（＝１８０°＋３６０°×５）、６７．５°に設定した場合に、良好な変換効率が得られた。図４は３５０ｎｍから７５０ｎｍの波長に対する積層１／２波長板１の変換効率を示す図である。積層１／２波長板１への入射角度を０°とした場合の変換効率を実線で、−５°、＋５°としたときの変換効率を、菱形、三角の印を付けて表示してあるが、ほぼ重なった曲線となっている。上記のパラメータを用いた積層１／２波長板１の場合、３波長対応光ピックアップ用の波長板として要求される４０５ｎｍ帯、６６０ｎｍ帯、７８５ｎｍ帯の波長で、変換効率がほぼ１となることが分かった。
【００４１】
ここで、第１の波長板２の光学軸方位角θ１と第２の波長板３の光学軸方位角θ２との関係について、図２に示すポアンカレ球を用いて説明する。図２（ａ）は１／２波長板１に入射した直線偏光のポアンカレ球上での軌道の推移を説明するための図である。赤道上の所定の位置Ｐ０から偏光方向が赤道に対して垂直な方向となる直線偏光４として光線が入射すると、第１の波長板２によって光軸Ｒ１を中心にして１８０°回転しＰ１（赤道上）へ移され、さらに第２の波長板３によって光軸Ｒ２を中心にして１８０°回転しＰ２（赤道上）に到達し、直線偏光４に対してθ＝９０°だけ回転した直線偏光５となって１／２波長板１を出射することが分かる。
【００４２】
次に、図２（ｂ）を用いて、θ１とθ２との関係について検討する。
図２（ｂ）は、図２（ａ）に示したポアンカレ球において１／２波長板１に入射した光線の偏光状態の軌跡をＳ３軸方向から見た図（Ｓ１Ｓ２平面に投影した図）を示す。第１の波長板２の光学軸方位角θ１、第２の波長板３の光学軸方位角θ２、及び直線偏光４（入射光）に対する直線偏光５（出射光）の回転角θの関係は、ポアンカレ球上では図２（ｂ）のように表すことができる。
点Ｏ、Ｐ０、Ｐ１を結んでなる三角形ＯＰ０Ｐ１は点Ｏを頂点とする二等辺三角形であり光軸Ｒ１は三角形ＯＰ０Ｐ１の二等分線となり、辺ＯＰ０と光軸Ｒ１とのなす角及び辺ＯＰ１と光軸Ｒ１とのなす角は２θ１となる。点Ｏ、Ｐ１、Ｐ２を結んでなる三角形ＯＰ１Ｐ２は点Ｏを頂点とする二等辺三角形であり光軸Ｒ２は三角形ＯＰ１Ｐ２の二等分線となる。ここで、辺ＯＰ１と光軸Ｒ２とのなす角α及び辺ＯＰ２と光軸Ｒ２とのなす角αは以下のように求められる。
２θ＝２×２θ１＋２α
α＝θ−２θ１
従って、辺ＯＰ０と光軸Ｒ２とのなす角２θ２は、以下のように表すことができる。
２θ２＝α＋２×２θ１＝θ−２θ１＋２×２θ１＝θ＋２θ１
従って、θ２は、
θ２＝θ１＋θ／２      ・・・（１１）
と表すことができる。
【００４３】
次に、図５は本発明に係る第２の実施例の高次モード積層１／２波長板（以下、積層１／２波長板と称す）１’の分解斜視図であって、第１の波長板２’と第２の波長板３’とを夫々の光学軸が交差するように貼り合わせた構成を備え、全体として１／２波長板として機能させる。第１及び第２の波長板２’、３’の高次モードの次数をｎ１、ｎ２とし、第１及び第２の波長板２’、３’の夫々の位相差をΓ１１、Γ２２、光学軸方位角を夫々θ３、θ４とする。位相差を決める波長λは４００ｎｍとし、次数ｎは１からはじまる自然数とする。第２の実施例の積層１／２波長板１’の構成条件を次式のように設定した。
Γ１１＝３６０°＋３６０°×２×ｎ・・・（１２）
Γ２２＝１８０°＋３６０°×ｎ・・・（１３）
【００４４】
第１及び第２の波長板２’、３’を構成する諸パラメータｎ、Γ１１、Γ２２、θ３、θ４を式（１２）、（１３）を満足するように設定して、積層１／２波長板１’構成する。上記のパラメータを種々変えてシミュレーションを行い、変換効率が良好なパラメータの組み合わせを求めた。その結果、第１及び第２の波長板２’、３’の切断角度が夫々９０°Ｚ（水晶板の主面における法線方向と光学軸（ｚ軸）との交差角度が９０°）、高次モードの次数ｎが４、波長λを４００ｎｍとしたときの第３及び４の波長板２’、３’の位相差Γ１１、Γ２２が夫々３２４０°（＝３６０°＋３６０°×２×４）、１６２０°（＝１８０°＋３６０°×４）、光学軸方位角θ３、θ４が−１６°、４５°の場合に、波長−変換効率特性が良好となった。
【００４５】
図６（ａ）は波長３５０ｎｍから７５０ｎｍに対する積層１／２波長板１’の変換効率特性を示す図である。入射角度を０°とした場合の積層１／２波長板１’の変換効率を実線で示し、入射角度を夫々−５°、＋５°としたときの変換効率を、菱形、三角の印を付けて表示してあるが、ほぼ重なった曲線となっている。液晶プロジェクタで用いる青、緑、赤の波長は夫々４００ｎｍ帯、５００ｎｍ帯、６７５ｎｍ帯であるので、夫々の波長帯における積層１／２波長板１’の変換効率は０．９４以上となることが判明した。更に、θ３及びθ４について最適化を試みたところ、図６（ａ）に示した波長−変換効率特性に比べて、図６（ｂ）に示すように波長−変換効率特性は、４００ｎｍ帯、５００ｎｍ帯、６７５ｎｍ帯の帯域幅を夫々広げることができた。尚、最適化を行った後の各光学軸方位角の値は、θ３＝−２１°、θ４＝３７．５°である。
【００４６】
図７は、第２の実施例における他のパラメータの例で、第１及び第２の波長板２’、３’の切断角度が夫々９０°Ｚ、高次モードの次数ｎが５、波長λを４００ｎｍとしたときの第３及び４の波長板２’、３’の位相差Γ１１、Γ２２が夫々３９６０°、１９８０°、光学軸方位角θ３、θ４が−１６°、４５°と設定したの場合に変換効率が良好となった。
図７（ａ）は波長３５０ｎｍから７５０ｎｍに対する積層１／２波長板１’の変換効率を示す図である。積層１／２波長板１’への入射角度を０°とした場合の変換効率を実線で、−５°、＋５°としたときの変換効率を、菱形、三角の印を付けて表示してあるが、ほぼ重なった曲線となっている。この実施例の場合、３波長対応光ピックアップ用の４０５ｎｍ帯、６６０ｎｍ帯、７８５ｎｍ帯で１／２波長板に要求される変換効率０．９３をクリアして０．９４以上の値が得られた。更に、θ３及びθ４について最適化を試みたところ、図７（ａ）に示した波長−変換効率特性に比べて、図７（ｂ）に示すように波長−変換効率特性は、４０５ｎｍ帯、６６０ｎｍ帯、７８５ｎｍ帯の帯域幅を夫々広げることができた。尚、最適化を行った後の各光学軸方位角の値は、θ３＝−２１°、θ４＝３７．５°である。
【００４７】
ここで、図５に示した積層１／２波長板１’を構成する第１の波長板２’と第２の波長板３’の光学的な作用について図８を用いて説明する。図８（ａ）は、積層１／２波長板１’に入射した直線偏光４のポアンカレ球上での軌道の推移を説明するための図である。図８（ｂ）は、図８（ａ）に示したポアンカレ球において積層１／２波長板１’に入射した光線の偏光状態の軌跡をＳ２軸方向から見た図（Ｓ１Ｓ３平面に投影した図）である。図８（ｃ）は、本発明に係る積層１／２波長板１’の第１の波長板２’の機能について説明するために、前記偏光状態の軌跡をＳ１軸方向から見た図（Ｓ２Ｓ３平面に投影した図）である。図８（ｂ）、（ｃ）において、直線偏光４の光線がポアンカレ球の赤道上の所定の位置Ｐ０に入射すると、第１の波長板２’によって光軸Ｒ１を中心にして３６０°回転しＰ１に到達し（Ｐ０＝Ｐ１）、さらに第２の波長板３’によって光軸Ｒ２を中心にして１８０°回転しＰ２（赤道）に到達することによって、積層１／２波長板１’を出射する光線が直線偏光４（入射光）に対してθ＝９０°だけ回転した直線偏光５となって積層１／２波長板１’を出射することが分かる。
【００４８】
ここで、第２の波長板３’の位相差Γ２２が入射光の波長の変化によりΔΓ２の位相変化を生じた場合、この位相変化ΔΓ２を第１の波長板２’の波長による位相変化ΔΓ１で相殺すれば、積層１／２波長板１’の波長依存性を抑圧し複数の波長帯で１／２波長板として機能できる。
更に、第２の波長板３’の波長による位相変化ΔΓ２は、基板材料の波長分散で決まる一定の数値を有しており、第１の波長板２’の波長による位相変化ΔΓ１は、第１の波長板２’の面内方位角θ３を調整することでその大きさを可変することが可能である。
そこで、第１の波長板２’と第２の波長板３’との関係式を以下に導出する。
入射光の波長が基準波長（設計波長）λ０から波長λ１〜λ２の間（λ１＜λ２）で変化すると、波長板の有する波長依存性により第１の波長板２’及び第２の波長板３’の位相差が夫々Γ１１及びΓ２２より変化する。
また、第２波長板の位相差において、
Γ２１１：波長λ１のときの位相差
Γ２２２：波長λ２のときの位相差
と定義すると、第２の波長板３’の波長による位相変化ΔΓ２は、以下の式を満足する。
ΔΓ２＝（Γ２２２−Γ２１１）／２・・・・（１４）
【００４９】
図８（ｂ）において、第２の波長板３’に生じた位相変化ΔΓ２により、ポアンカレ球上の座標Ｐ０（Ｐ１）がＰ１”に変化したものとし、このＰ０→Ｐ１”の距離を近似的に直線ｘ２で表すと、ΔΓ２とｘ２は下式（１）の関係を満足する。
（ｘ２）2＝２ｋ2−２ｋ2ｃｏｓΔΓ２・・・・（１５）
但し、ｋは、ポアンカレ球の半径を示す。
次に同様に、図８（ｃ）において、第１の波長板２’に生じた位相変化ΔΓ１により、ポアンカレ球上の座標Ｐ０（Ｐ１）がＰ１’に変化したものとし、このＰ０→Ｐ１’の距離を近似的に直線ｘ１で表すと、ΔΓ１とｘ１は下式（１６）の関係を満足する。
（ｘ１）2＝２ｒ2−２ｒ2ｃｏｓΔΓ１・・・・（１６）
但し、ｒは、Ｒ１を回転軸としてΓ１１回転させる時の半径である。
又、ｒは、第１の波長板２’の面内方位角θ３を用いて下式（１７）により表すことができる。
ｒ2＝２ｋ2−２ｋ2ｃｏｓ２θ３・・・・（１７）
【００５０】
更に、式（１７）を式（１６）に代入すると、式（１８）が得られる。
（ｘ１）2＝４ｋ2（１−ｃｏｓ２θ３）（１−ｃｏｓΔΓ１）・・・・（１８）
そこで、第１の波長板２’と第２の波長板３’の位相変化がお互いに相殺しあうためには、
ｘ１≒ｘ２
である必要があり、式（１５）と式（１８）より
（ｘ１）2＝（ｘ２）2
２ｋ2−２ｋ2ｃｏｓΔΓ２＝４ｋ2（１−ｃｏｓ２θ３）（１−ｃｏｓΔΓ１）の関係が成立する。
そこで、ｋを正規化してまとめると式（１９）が得られる。
ｃｏｓ２θ３＝１−（１−ｃｏｓΔΓ２）／２（１−ｃｏｓΔΓ１）・・・（１９）
次に、第１の波長板２’と第２の波長板３’とが同じ分散の基板材料で構成されており、
Γ１１／Γ２２＝ｍ
とすると、式（２０）が得られる。
ΔΓ１＝ｍΔΓ２・・・・（２０）
そこで、式（２０）を式（１９）に代入すると式（２１）が得られる。
ｃｏｓ２θ３＝１−（１−ｃｏｓΔΓ２）／２（１−ｃｏｓｍΔΓ２）・・・（２１）
式（２１）は、第２の波長板３’により生ずる位相変化ΔΓ２により第１の波長板２’の面内方位角θ３が決定されることを示している。
【００５１】
次に、上述した計算式を用いて積層１／２波長板１’を構成する第１の波長板２’と第２の波長板３’の具体的なパラメータを算出する。
具体例として、波長３５０ｎｍ〜８５０ｎｍの帯域における複数の波長帯において１／２波長板として機能する積層１／２波長板についてパラメータを算出する。
例えば、第１の波長板２’の位相差Γ１１＝３２４０°（＝３６０°＋３６０°×２×４）、第２の波長板３の位相差Γ＝１６２０°（＝１８０°＋３６０°×４）とすると、
ｍ＝Γ１／Γ２＝２
となる。
次に、θ４については、第２の波長板３’に入射する直線偏光の偏光方向を９０°回転した直線偏光として出射させるためにθ４の値を４５°とするが、前述のシミュレーションにより得られた解に対して最適化を図るため、可変範囲を±１０°と設定し、
θ４＝４５°±１０°・・・（２２）
とした。
【００５２】
図９は本発明に係る偏光変換子の実施例を示すで構成図であって、偏光ビームスプリッタアレイ（偏光分離素子）１０のＰ偏光が出射する面に、本発明に係る上記の積層１／２波長板１１を貼り付けて偏光変換子を構成する。周知のように、偏光ビームスプリッタアレイ１０の構成は、図９に示すように光学ガラス等を用いて形成した平行六面体透明部材を、複数個互いの側面同士を接合して構成する。平行四辺形状のプリズムを複数個、斜面同士を貼り合わせ、接合したプリズムの一方の斜面に偏光分離部１３を形成し、他方の斜面には反射膜１４を形成する。偏光変換子の作用は、光（ランダム光）１２が偏光ビームスプリッタアレイ１０の入射面に入射すると、ランダム光のうち、Ｐ偏光は偏光分離部１３を透過し、偏光ビームスプリッタアレイ１０の出射面に貼り付けられた積層１／２波長板１１によりＳ偏光に変換されて出射する。一方、ランダム光のうちのＳ偏光は偏光分離部１３により反射され、さらに反射膜１４で反射されて、偏光変換子を出射する。本発明の偏光変換子の特徴はＰ偏光からＳ偏光への変換効率がよく、強い偏光光を作り出せることである。
【００５３】
図１０は本発明に係る偏光照明装置の実施例を示すで構成図あって、発光光源１５と、レンズアレイ１８と、上記に説明した本発明の積層１／２波長板１９と、を備えている。発光光源１５は超高圧水銀ランプやキセノンランプ等のランプ１６と反射鏡１７、例えば放物面反射鏡とからなり、ランプ１６から出射される光は放物面反射鏡１７の光軸に略平行光となる。そして、ランプ１６から発せられる光は自然光（ランダム光）であり、強度の等しい直交する２つの直線偏光（Ｐ偏光、Ｓ偏光）の和で表せる。ランダム光は積層１／２波長板１９を透過すると、Ｓ偏光のみに変換される偏光照明装置である。
【００５４】
図１１（ａ）は本発明に係る３波長対応光ピックアップ２０の実施例を示すブロック図である。ＣＤに対応した７８５ｎｍ帯の波長のレーザ光を出射するレーザダイオード（以下、ＬＤと称する）２１と、ＤＶＤに対応した６６０ｎｍ帯の波長のレーザ光を出射するＬＤ２２と、前記ＬＤ２１の出射する直線偏光であるレーザ光を反射すると共に、前記ＬＤ２２が出射する直線偏光のレーザ光を透過するダイクロイックプリズム２３と、ＢＤ（４０５ｎｍ帯の青紫色レーザを用いたブルーレイディスクや、ＨＤ−ＤＶＤに代表されるブルーレーザディスク）に対応した４０５ｎｍ帯の波長のレーザ光を出射するＬＤ２４と、ＬＤ２４が出射する直線偏光のレーザ光を反射すると共に、前記ダイクロイックプリズム２３を反射、及び透過したレーザ光を透過する波長分離素子２５と、該波長分離素子２５を反射、及び透過したレーザ光の位相を１８０°変換して出射する積層１／２波長板２６と、該積層１／２波長板２６を出射するレーザ光を所定の比率で反射、及び透過するミラー２７と、ミラー２７を透過したレーザ光をモニターするフロントモニター（ＦＭ）２８と、ミラー２７を反射したレーザ光を平行光とするコリメートレンズ２９と、コリメートレンズ２９を透過した直線偏光を円偏光に変換する１／４波長板３０と、光ディスク３１に形成されたピット３２にレーザ光を集光する集光レンズ３３と、ピット３２にて反射したレーザ光を、前記集光レンズ３３と、１／４波長板３０と、コリメートレンズ２９と、ミラー２７と、を経由して検出する光検出素子ＰＤ３４とにより構成する。光ピックアップでは１／２波長板をファーフィールドパターンと偏光面の相対角度を変える目的で使用している。
【００５５】
以上のように、本発明の積層１／２波長板を用いて３波長対応光ピックアップ装置を構成することにより、従来の構成では１／２波長板を３個必要としたが、本発明に係る積層１／２波長板を用いることにより、積層１／２波長板を１個のみで、３波長対応光ピックアップ装置を構成することができるという効果がある。
【００５６】
更に、最近開発された三波長発光レーザダイオードと、本発明の積層１／２波長板を用いることにより、新たな３波長対応光ピックアップ装置を構成することができる。図１１（ａ）と同じ光学デバイスには同じ符号を用いることにする。図１１（ｂ）は本発明に係る他の３波長対応光ピックアップ３５の実施例を示すブロック図である。ＣＤ、ＤＶＤ及びＢＤに夫々対応した７８５ｎｍ帯、６６０ｎｍ帯及び４０５ｎｍ帯の波長を出射するＬＤ３６ａ、３６ｂ及び３６ｃを備えた複合ＬＤ３６と、該複合ＬＤ３６が出射する７８５ｎｍ帯、６６０ｎｍ帯、４０５ｎｍ帯のいずれか１つのレーザ光の位相を１８０°変換して出射する積層１／２波長板２６と、該積層１／２波長板２６を出射するレーザ光を所定の比率で反射、及び透過するミラー２７と、ミラー２７を透過したレーザ光をモニターするフロントモニター（ＦＭ）２８と、ミラー２７を反射したレーザ光を平行光とするコリメートレンズ２９と、コリメートレンズ２９を透過した直線偏光を円偏光に変換する１／４波長板３０と、光ディスク３１に形成されたピット３２にレーザ光を集光する集光レンズ３３と、ピット３２にて反射したレーザ光を、前記集光レンズ３３と、１／４波長板３０と、コリメートレンズ２９と、ミラー２７と、を経由して検出する光検出素子ＰＤ３４とにより構成する。
【００５７】
以上のように、本発明の積層１／２波長板を用いて３波長対応光ピックアップ装置を構成することにより、光学部品を大幅に削減することが可能となり、光ピックアップ装置の製造コストを大きく低減することができるという効果がある。
【符号の説明】
【００５８】
１，１’，１９，２４…積層１／２波長板、２，２’，３，３’…波長板、４，５直線偏光，６，６’，７，７’…光学軸、θ１，θ２，θ３，θ４…光学軸の方位角、１０…偏光変換子、１１…ビームスプリッタアレイ、１２…光軸、１３…偏光分離部、１４…反射膜、１５…発光光源、１６…ランプ、１７…反射鏡、１８…レンズアレイ、２０，３５…光ピックアップ装置、２１，２２，２４，３６ａ，３６ｂ，３６ｃ…レーザダイオード（ＬＤ）、２３…ダイクロイックプリズム、２５…波長分離素子、２６…積層１／２波長板、２７…ミラー、２８…フロントモニター、２９…コリメートレンズ、３０…１／４波長板、３３…集光レンズ、３４…光検出素子（ＰＤ）、３６…複合レーザダイオード（ＬＤ）。
【図１】
2010140039.tif 000008
【図２】
2010140039.tif 000009
【図３】
2010140039.tif 000010
【図４】
2010140039.tif 000011
【図５】
2010140039.tif 000012
【図６】
2010140039.tif 000013
【図７】
2010140039.tif 000014
【図８】
2010140039.tif 000015
【図９】
2010140039.tif 000016
【図１０】
2010140039.tif 000017
【図１１】
2010140039.tif 000018
【図１２】
2010140039.tif 000019
【図１３】
2010140039.tif 000020
【図１４】
2010140039.tif 000021
【手続補正書】
【提出日】平成22年3月4日(2010.3.4)
【手続補正２】
【補正対象書類名】特許請求の範囲
【補正対象項目名】全文
【補正方法】変更
【補正の内容】
【特許請求の範囲】
【請求項１】
波長λの光に対して位相差Γ１１の第１の波長板と位相差Γ２２の第２の波長板とを各
々の光学軸が交差するように積層してなり、
互いに波長が異なる複数の波長において、入射する直線偏光の偏光面を９０°回転させ
た直線偏光に変換して出射する積層波長板であって、
前記第１の波長板の面内方位角をθ３とし、
前記第２の波長板の面内方位角をθ４とし、
前記第２の波長板の波長λ１に対する位相差をΓ２１１、波長λ２（λ１＜λ２）に対
する位相差をΓ２２２としたとき、
下式（１２）、（１３）、（１４）、（２１）、及び（２２）を満足するよう構成した
ことを特徴とする積層波長板。
Γ１１＝３６０°＋３６０°×２×ｎ  ・・・・（１２）
Γ２２＝１８０°＋３６０°×ｎ      ・・・・（１３）
ΔΓ２＝（Γ２２２−Γ２１１）／２  ・・・・（１４）
ｃｏｓ２θ３＝１−（１−ｃｏｓΔΓ２）／２｛（１−ｃｏｓｍΔΓ２）｝・・・・（２
１）
θ４＝４５°±１０° ・・・・（２２）
但し、ｎは１からはじまる自然数、ｍ＝２
【請求項２】
請求項１において、
ｎ＝４、
θ３＝−１６°若しくは−２１°
であることを特徴とする積層波長板。
【請求項３】
請求項１において、
ｎ＝５、
θ３＝−１６°若しくは−２１°
であることを特徴とする積層波長板。
【請求項４】
第１の主面を光入射面としかつ第２の主面を光出射面とする平板状の透光性基材と、
前記基材中に設けられた第１及び第２の光学薄膜と、前記基材の前記第２の主面に設け
られた波長板とを備え、
前記第１及び第２の光学薄膜が、前記第１及び第２の主面に対して傾斜させて、交互に
かつ互いに間隔をおいて平行に配置され、
前記第１の光学薄膜が、前記第１の主面側から入射した光を互いに直交する第１の直線
偏光と第２の直線偏光とに分離して、前記第１の直線偏光を透過させかつ第２の直線偏光
を反射し、
前記第２の光学薄膜が、前記第１の光学薄膜により反射された第２の直線偏光を反射し
て前記第２の主面から出射させ、
前記波長板が、前記第２の主面に配置され、前記第１の光学薄膜を透過した前記第１の
直線偏光を第２の直線偏光に変換して出射させる偏光変換子であって、
前記波長板が、請求項１乃至請求項３のいずれか一項に記載の積層位相差板であること
を特徴とすることを特徴とする偏光変換子。
【請求項５】
請求項１乃至請求項３のいずれか一項に記載の積層波長板を備えていることを特徴する
偏光照明装置。
【請求項６】
光源と、
前記光源から出射した光を光記録媒体に集光するための対物レンズと、
前記光記録媒体により反射された光を検出するための光検出器と、
を備えた光ピックアップ装置であって、
前記光源から前記対物レンズに至る光路中に請求項１乃至３のいずれか一項に記載の積
層波長板を設置したことを特徴とする光ピックアップ装置。
【手続補正３】
【補正対象書類名】明細書
【補正対象項目名】００１０
【補正方法】変更
【補正の内容】
【００１０】
本発明に係る第１の形態は、波長λの光に対して位相差Γ１１の第１の波長板と位相差
Γ２２の第２の波長板とを各々の光学軸が交差するように積層してなり、互いに波長が異
なる複数の波長において、入射する直線偏光の偏光面を９０°回転させた直線偏光に変換
して出射する積層波長板であって、前記第１の波長板の面内方位角をθ３とし、前記第２
の波長板の面内方位角をθ４とし、前記第２の波長板の波長λ１に対する位相差をΓ２１
１、波長λ２（λ１＜λ２）に対する位相差をΓ２２２としたとき、下式（１２）、（１
３）、（１４）、（２１）、及び（２２）を満足するよう構成した積層波長板である。
Γ１１＝３６０°＋３６０°×２×ｎ  ・・・・（１２）
Γ２２＝１８０°＋３６０°×ｎ      ・・・・（１３）
ΔΓ２＝（Γ２２２−Γ２１１）／２  ・・・・（１４）
ｃｏｓ２θ３＝１−（１−ｃｏｓΔΓ２）／２｛（１−ｃｏｓｍΔΓ２）｝・・・・（２
１）
θ４＝４５°±１０° ・・・・（２２）
但し、ｎは１からはじまる自然数、ｍ＝２
このような積層波長板によれば、ｎを適切に設定することにより、積層波長板を構成す
る２つの波長板の厚さを加工し易い厚さとすることができるという効果がある。
本発明に係る第２の形態は、ｎ＝４、θ３＝−１６°若しくは−２１°とした積層波長
板である。このように構成することにより、液晶プロジェクタで用いる青、緑、赤の波長
帯４００ｎｍ帯、５００ｎｍ帯、６７５ｎｍ帯において積層波長板の波長−変換効率特性
が０．９４以上にできるという効果がある。
本発明に係る第３の形態は、ｎ＝５、θ３＝−１６°若しくは−２１°とした積層波長
板である。このように構成することにより、３波長対応光ピックアップ用の波長板として
要求される波長帯４０５ｎｍ、６６０ｎｍ、７８５ｎｍ帯において積層波長板の波長−変
換効率特性がほぼ０．９４以上にできるという効果がある。
本発明に係る第４の形態は、第１の主面を光入射面としかつ第２の主面を光出射面とす
る平板状の透光性基材と、前記基材中に設けられた第１及び第２の光学薄膜と、前記基材
の前記第２の主面に設けられた波長板とを備え、前記第１及び第２の光学薄膜が、前記第
１及び第２の主面に対して傾斜させて、交互にかつ互いに間隔をおいて平行に配置され、
前記第１の光学薄膜が、前記第１の主面側から入射した光を互いに直交する第１の直線偏
光と第２の直線偏光とに分離して、前記第１の直線偏光を透過させかつ第２の直線偏光を
反射し、前記第２の光学薄膜が、前記第１の光学薄膜により反射された第２の直線偏光を
反射して前記第２の主面から出射させ、前記波長板が、前記第２の主面に配置され、前記
第１の光学薄膜を透過した前記第１の直線偏光を第２の直線偏光に変換して出射させる偏
光変換素子であって、前記波長板を、第１の形態乃至第３の形態の何れかの積層波長板と
した偏光変換素子である。これにより、偏光変換子から出射する直線偏光（Ｓ偏光）の強
度を強めることができる。
本発明に係る第５の形態は、第１形態乃至第３の形態の何れかの積層波長板を備えて構
成される偏光照明装置である。このように第１形態乃至第３の形態の何れかの積層波長板
を用いて照明装置を構成することにより、照明装置から出射する直線偏光（Ｓ偏光）の強
度を強めることができるという効果がある。
本発明に係る第６の形態は、光源と、前記光源から出射した光を光記録媒体に集光する
ための対物レンズと、第１の形態乃至第３の形態の何れかの積層波長板を備えて構成され
る光ピックアップ装置である。このように第１の形態乃至第３の形態の何れかの積層波長
板を用いて３波長対応光ピックアップ装置を構成すると、従来３つ必要で波長板を１つの
積層波長板で実現することができる。
また、第１の形態乃至第３の形態の何れかの積層波長板と、３つの波長のレーザを出射
するレーザダイオードとにより３波長対応の光ピックアップ装置を構成すると、光学部品
を大幅に削減することが可能となり、光ピックアップ装置のコストを削減することができ
るという効果がある。
［適用例１］本発明の適用例１に係る積層波長板は、波長λ対して位相差Γ１の第１の
波長板と位相差Γ２の第２の波長板とを光軸が交差するよう貼り合わせて、全体として１
／２波長板として機能する積層波長板であって、前記第１の波長板の面内方位角をθ１と
し、前記第２の波長板の面内方位角をθ２とし、前記積層波長板に入射する直線偏光の偏
光方向と、前記積層波長板から出射する直線偏光の偏光方向とのなす角度をθとしたとき
に下式（１）〜（３）を満足するよう構成したことを特徴とする積層波長板。
Γ１＝１８０°＋３６０°×ｎ・・・（１）、Γ２＝１８０°＋３６０°×ｎ・・・（２
）、θ２＝θ１＋θ／２・・・（３）、但し、ｎは１からはじまる自然数。
このような積層波長板によれば、ｎを適切に設定することにより、積層波長板を構成す
る２つの波長板の厚さを加工し易い厚さとすることができるという効果がある。
【手続補正４】
【補正対象書類名】明細書
【補正対象項目名】００１１
【補正方法】変更
【補正の内容】
【００１１】
［適用例２］本発明の適用例２に係る積層波長板は、ｎ＝４、θ１＝２２．５°、θ２
＝６７．５°とした。このように構成することにより、液晶プロジェクタで用いる青、緑
、赤の波長帯４００ｎｍ帯、５００ｎｍ帯、６７５ｎｍ帯において積層波長板の波長−変
換効率特性がほぼ１にできるという効果がある。
【手続補正５】
【補正対象書類名】明細書
【補正対象項目名】００１２
【補正方法】変更
【補正の内容】
【００１２】
［適用例３］本発明の適用例３に係る積層波長板は、ｎ＝５、θ１＝２２．５°、θ２
＝６７．５°とした。このように構成されることにより、３波長対応光ピックアップ用の
波長板として要求される波長帯４０５ｎｍ帯、６６０ｎｍ帯、７８５ｎｍ帯において積層
波長板の波長−変換効率特がほぼ１にできるという効果がある。
【手続補正６】
【補正対象書類名】明細書
【補正対象項目名】００１３
【補正方法】変更
【補正の内容】
【００１３】
［適用例４］本発明の適用例４に係る積層波長板は、波長λに対して位相差Γ１１の第
１の波長板と位相差Γ２２の第２の波長板とを光軸が交差するよう貼り合わせて、全体と
して１／２波長板として機能する積層波長板であって、前記第１の波長板の面内方位角を
θ３とし、前記第２の波長板の面内方位角をθ４とし、前記第２の波長板の波長λ１に対
する位相差をΓ２１１、波長λ２（λ１＜λ２）に対する位相差をΓ２２２としたとき、
Γ１ｌ＝３６０°＋３６０°×２×ｎ、Γ２２＝１８０°＋３６０°×ｎ、ｃｏｓ２θ３
＝１−（１−ｃｏｓΔΓ２）／２（１−ｃｏｓ２ΔΓ２）、θ４＝４５°±１０°、但し
、ｎは１からはじまる自然数、ΔΓ２＝（Γ２２２−Γ２１１）／２、を満足するよう構
成した。このような積層波長板によれば、次数ｎｌ、ｎ２を適切に設定することにより、
積層波長板を構成する２つの波長板の厚さを加工し易い厚さとすることができるという効
果がある。
【手続補正７】
【補正対象書類名】明細書
【補正対象項目名】００１４
【補正方法】変更
【補正の内容】
【００１４】
［適用例５］本発明の適用例５に係る積層波長板は、ｎ＝４、θ３＝−１６°若しくは
−２１°とした。このように構成することにより、液晶プロジェクタで用いる青、緑、赤
の波長帯４００ｎｍ帯、５００ｎｍ帯、６７５ｎｍ帯において積層１／２波長板の波長−
変換効率特性が０．９４以上にできるという効果がある。
【手続補正８】
【補正対象書類名】明細書
【補正対象項目名】００１５
【補正方法】変更
【補正の内容】
【００１５】
［適用例６］本発明の適用例６に係る積層波長板は、ｎ＝５、θ３＝−１６°若しくは
−２１°とした。このように構成することにより、３波長対応光ピックアップ用の波長板
として要求される波長帯４０５ｎｍ帯、６６０ｎｍ帯、７８５ｎｍ帯において積層波長板
の波長−変換効率特性が０．９４以上にできるという効果がある。
［適用例７］本発明の適用例７に係る偏光変換子は、偏光ビームスプリッタアレイのＰ
偏光出射面に、上記の積層波長板を貼り付けて構成することを特徴する。
このように、上記の積層波長板を用いて偏光変換子を構成することにより、偏光変換子
から出射する直線偏光（Ｓ偏光）の強度を強めることができるという効果がある。
【手続補正９】
【補正対象書類名】明細書
【補正対象項目名】００１６
【補正方法】変更
【補正の内容】
【００１６】
［適用例８］本発明の適用例８に係る偏光照明装置は、本発明の適用例１乃至６の何れ
かの積層波長板を備えて構成される。このように本発明の適用例１乃至６の積層波長板を
用いて照明装置を構成することにより、照明装置から出射する直線偏光（Ｓ偏光）の強度
を強めることができるという効果がある。
【手続補正１０】
【補正対象書類名】明細書
【補正対象項目名】００１７
【補正方法】変更
【補正の内容】
【００１７】
［適用例９］本発明の適用例９に係る光ピックアップ装置は、本発明の適用例１乃至６
の何れかの積層波長板を備えて構成される。このように本発明の適用例１乃至６の何れか
の積層波長板を用いて３波長対応光ピックアップ装置を構成すると、従来３つ必要であっ
た１／２波長板を１つの積層波長板で実現することができる。
また、本発明の適用例１乃至６の何れかの積層波長板と、３つの波長のレーザを出射す
るレーザダイオードとにより３波長対応の光ピックアップ装置を構成すると、光学部品を
大幅に削減することが可能となり、光ピックアップ装置のコストを低減することができる
という効果がある。
【手続補正１１】
【補正対象書類名】明細書
【補正対象項目名】００２４
【補正方法】変更
【補正の内容】
【００２４】
【数１】
2010140039.tif 000022
【手続補正１２】
【補正対象書類名】明細書
【補正対象項目名】００２５
【補正方法】変更
【補正の内容】
【００２５】
【数２】
2010140039.tif 000023
【手続補正１３】
【補正対象書類名】明細書
【補正対象項目名】００５０
【補正方法】変更
【補正の内容】
【００５０】
更に、式（１７）を式（１６）に代入すると、式（１８）が得られる。
（ｘ１）2＝４ｋ2（１−ｃｏｓ２θ３）（１−ｃｏｓΔΓ１）・・・・（１８）
そこで、第１の波長板２’と第２の波長板３’の位相変化がお互いに相殺しあうために
は、ｘ１≒ｘ２である必要があり、式（１５）と式（１８）より（ｘ１）2＝（ｘ２）2２
ｋ2−２ｋ2ｃｏｓΔΓ２＝４ｋ2（１−ｃｏｓ２θ３）（１−ｃｏｓΔΓ１）の関係が成
立する。
そこで、ｋを正規化してまとめると式（１９）が得られる。
ｃｏｓ２θ３＝１−（１−ｃｏｓΔΓ２）／｛２（１−ｃｏｓΔΓ１）｝・・・（１９
）
次に、第１の波長板２’と第２の波長板３’とが同じ分散の基板材料で構成されており
、Γ１１／Γ２２＝ｍとすると、式（２０）が得られる。
ΔΓ１＝ｍΔΓ２・・・・（２０）
そこで、式（２０）を式（１９）に代入すると式（２１）が得られる。
ｃｏｓ２θ３＝１−（１−ｃｏｓΔΓ２）／｛２（１−ｃｏｓｍΔΓ２）｝・・・（２
１）
式（２１）は、第２の波長板３’により生ずる位相変化ΔΓ２により第１の波長板２’
の面内方位角θ３が決定されることを示している。